【事件の表示】
　平成　４年特許願第２２４４６２号「自動販売機の扉支持装置」拒絶査定に対する審判事件［平成　６年　３月１８日出願公開、特開平　６−　７６１５２］について、次のとおり審決する。
【結　論】
　本件審判の請求は、成り立たない。
【理　由】
１．手続の経緯・本願発明
　
  本願は、平成４年８月２５日に出願され、平成１２年３月１３日付け拒絶理由通知書へ対応するために平成１２年５月１１日付け手続補正書により明細書の全文が補正された。平成１３年１月５日付けで上記拒絶理由通知書に記載された理由により、拒絶の査定がなされ、当該査定を不服とする審判が平成１３年２月１５日付けで請求された。そして平成１３年３月９日付け手続補正書により明細書の特許請求の範囲及び詳細な説明の欄が補正された。
　
　本願の特許請求の範囲の請求項１、請求項２に係る発明（以下、それぞれ「本願発明１」、「本願発明２」という。）は上記平成１３年３月９日付け手続補正書により補正された明細書の【特許請求の範囲】の欄の【請求項１】、【請求項２】に各々記載された以下の通りのものと認める。
　
「【請求項１】前面が開口し底板下面に据付用脚を設けたケース本体と、このケース本体の前面を閉塞する扉と、前記ケース本体の上下側端部に設けた支軸と、前記扉の上下側端部に設けた軸孔とを備え、前記支軸に軸孔を嵌合させて前記扉を前記ケース本体に開閉自在に支持する自動販売機において、前記ケース本体の底板前面側を扉の前面側に略一致するように延在し、前記ケース本体の下部側の支軸を、前記底板の隅部にボスを溶接しかつこのボスに螺合するレベリングボルトを設けて前記据付用脚を構成するとともに、前記ボスの上部を延在突出させて形成し、この支軸に嵌合する扉の軸孔を扉の前面側に近接して設けたことを特徴とする自動販売機の扉支持装置。
【請求項２】前面が開口し底板下面に据付用脚を設けたケース本体と、このケース本体の前面を閉塞する扉と、前記ケース本体の上下側端部に設けた支軸と、前記扉の上下側端部に設けた軸孔とを備え、前記支軸に軸孔を嵌合させて前記扉を前記ケース本体に開閉自在に支持する自動販売機において、前記ケース本体の底板前面側を扉の前面側に略一致するように延在し、前記ケース本体の下部側の支軸を、前記底板の隅部に形成した嵌合孔に下部が嵌合保持され、上部が前記底板上に突出するよう形成し、この支軸に嵌合する扉の軸孔を扉の前面側に近接して設けたことを特徴とする自動販売機の扉支持装置。」
　
２．引用例に記載された事項
　
　上記平成１２年３月１３日付け拒絶理由通知書には引用文献として以下の刊行物が記載されている。
　
引用文献１：実願平２−６０４１３号（実開平４−５３９８４号）のマイクロフィルム（以下、「刊行物１」という。）
　
・刊行物１には図面と共に以下の事項が記載されている。
　
イ）「（産業上の利用分野）
　本考案は、自動販売機のなどの扉支持装置に関する。」（１頁１６行〜同頁１８行）
　
ロ）「扉支持装置は、本体１の上部に設けられた回転軸９と、下部に設けられた底板１０の角隅部上部に溶接などにより取付けられた回転軸としてのピン１１に、前面扉３のフレーム１２に穿設された取付孔１３を嵌合し、上下の回転軸９，１１を支点として開閉自在に枢支されている。」（２頁９行〜同頁１５行）
　
ハ）「本考案は、相当量の重量を有する前面扉を開いた時などの本体の転倒に対する安定性をよくすると共に、回転軸としてのピンを不要とする自動販売機などの支持扉装置を提供することを目的とするものである。」（３頁１９行〜４頁３行）
　
ニ）「（課題を解決するための手段）
　本考案はこのような欠点を解決するために、前面に開口部を有した箱状の本体と、この本体の上下に設けられた回転軸で枢支され、前記開口部に対して開閉自在に設けられた前面扉と、前記本体を水平に支持する高さ調整可能な支持脚としてのレベリングスクリューと、このレベリングスクリューを受け入れるレベリングナットとからなるものにおいて、前記前面扉の下部回転軸を前記レベリングナットで兼用したものである。」（４頁５行〜同頁１４行）
　
ホ）「（実施例）
　以下、本考案の扉支持装置の実施例について特に第１図および第２図を参照して説明する。
　なお、図において第５図と同一部分は同一符号を付し説明は省略し、相違するところのみ説明する。
　レベリングナット１４は、従来のレベリングナットよりも長寸に形成され、底板１０より上方へ突出する回転軸部１４ａと、下部にこの回転軸部１４ａよりも大径の支え部１４ｂが形成され、この支え部１４ｂは底板１０へ加わる前面扉３の荷重を受けるようになっている。そして、このレベリングナット１４は支持板１６に、その下端部を溶接などにより固着し、この状態で支持板１５は底板１０に溶接などにより固着される。そして、前面扉３は上部を回転軸９に枢着させると共に、下部をフレーム１２の取付孔１３をレベリングナット１４の回転軸部１４ａに嵌合して、上下の回転軸９、１４ａを支点として開閉自在に本体１に枢支支持される。一方、レベリングスクリュー１５は前面扉の下部回転軸を兼用するレベリングナット１４に受け入れられるため、前面扉３の回転時の邪魔とはならず、この結果レベリングスクリュー１５は第４図に示される点線で現わされた従来のレベリングスクリュー１５の取付け位置よりも手前に取付けることができる。」（５頁２行〜６頁７行）
　
３．対比
　
　上記「２．　イ）」より、刊行物１に記載されたものも、「自動販売機の扉支持装置」である点で、本願発明１と同じ技術分野に属する。
　
　刊行物１第１図、上記「２．　ニ）、ホ）」によれば、自動販売機の「本体１」の「開口部２」の前面に、「前面扉３」が「上部を回転軸９に枢着させると共に、下部をフレーム１２の取付孔１３をレベリングナット１４の回転軸部１４ａに嵌合して、上下の回転軸９、１４ａを支点として開閉自在に本体１に枢支支持される」。そして「前面扉３」を軸支する「回転軸９、１４ａ」が形成されるのは、第１図の記載より本体１の側端部である。
　
　すると、刊行物１には以下の発明が記載されている。
　
「前面が開口し底板１０下面に据付用脚を設けた本体１と、この本体１の前面を閉塞する前面扉３と、前記本体１の上下側端部に設けた回転軸９、１４ａと、前記前面扉３の下側端部に設けた取付孔１３とを備え、前記回転軸１４ａに取付孔１３を嵌合させて前記前面扉３を前記本体１に開閉自在に支持する自動販売機において、前記本体１の下部側の回転軸部１４ａを、前記底板１０に溶接された支持板１６の隅部にレベリングナット１４下端部を溶接しかつこのレベリングナット１４に受け入れられるレベリングスクリュー１５を設けて前記据付用脚を構成すると共に、前記レベリングナット１４の上部を延在突出させて形成したことを特徴とする自動販売機の扉支持装置」　　
　
　本願発明１と上記刊行物１に記載された発明とを比較すると、刊行物１記載の発明の「底板１０と支持板１６」、「本体１」、「前面扉３」、「回転軸９，１４ａ」、「取付孔１３」、「レベリングナット１４」、「レベリングスクリュー１５」は、それぞれ本願発明１の「底板」、「ケース本体」、「扉」、「支軸」、「軸孔」、「ボス」、「 レベリングボルト」にそれぞれ相当するから、本願発明１と上記刊行物１に記載された発明とは、以下の点で一致し、かつ、相違する。　
　
［一致点］
　
「前面が開口し底板下面に据付用脚を設けたケース本体と、このケース本体の前面を閉塞する扉と、前記ケース本体の上下側端部に設けた支軸と、前記扉の下側端部に設けた軸孔とを備え、前記支軸に軸孔を嵌合させて前記扉を前記ケース本体に開閉自在に支持する自動販売機において、前記ケース本体の下部側の支軸を、前記底板の隅部にボスを溶接しかつこのボスに螺合するレベリングボルトを設けて前記据付用脚を構成するとともに、前記ボスの上部を延在突出させて形成したことを特徴とする自動販売機の扉支持装置。」
　
［相違点］
　
・相違点ａ
　本願発明１は、「前記ケース本体の上下側端部に設けた支軸と、前記扉の上下側端部に設けた軸孔とを備え、前記支軸に軸孔を嵌合させて前記扉を前記ケース本体に開閉自在に支持する」ものであるのに対し、刊行物１に記載されたものは、「下側端部に設けた回転軸１４ａ」を「前面扉３」に形成した「下側端部に設けた取付孔１３」に嵌合させることは記載されているものの、「ケース本体の上」側端部に設けられた「回転軸９」が「前面扉３」を支える構成につき明りょうに記載されていない点。
　
・相違点ｂ
　本願発明１は、「ケース本体の底板前面側」と「扉の前面側」の位置関係を、「略一致」するように延在したものであるのに対し、刊行物１記載の発明には、「底板１０」前面側と「前面扉３」の位置関係につき、特段の限定がない点。
　
・相違点ｃ
　本願発明１は、「扉の軸孔」を設ける位置を「扉の前面側に近接して設けた」のに対し、刊行物１記載の発明には、この点、明示の限定がない点。
　
４．判断
　
（１）相違点ａについて
　
　刊行物１の上記「２．　ホ）」には、「回転軸９」について、「前面扉３は上部を回転軸９に枢着される」と記載されている。そして、「扉支持装置は、本体１の上部に設けられた回転軸９と、下部に設けられた底板１０の角隅部上部に溶接などにより取付けられた回転軸としてのピン１１に、前面扉３のフレーム１２に穿設された取付孔１３を嵌合し、上下の回転軸９，１１を支点として開閉自在に枢支されている」と記載されている。かかる記載は、刊行物１記載の発明において、「本体」の「下側」のみならず上側についても、「前面扉３」に「取付孔」を形成して、「回転軸９」が嵌合するよう構成することを、当業者に少なくとも示唆を与えるものである。
　したがって、本願発明１が、「前面扉３」の「下側端部」に加え、「上側端部」にも「取付孔」を形成して、「本体」のそれぞれ上側と下側に形成した「回転軸９，１１」を嵌合するようにすることは、刊行物１の記載に基づいて当業者が容易になし得たものである。生じる作用・効果の点についても格別なものであるとは認められない。
　
（２）相違点ｂについて
　
　平成１３年３月９日付け手続補正書により補正された明細書の段落【発明の効果】には、相違点ｂに係る構成に基づく効果として、「ケース本体の底板前面側を扉の前面側に略一致するように延在して据付用脚を設けることにより自動販売機の安定性が向上するという利点を有する。」と記載されている。一般に自動販売機は様々な人々が往来する路上にて設置されることが専らであるが、重量のある自動販売機が前方へ転倒しないように安定性を図るべきであることは、当業者にとって周知の課題である。そして、刊行物１に記載された自動販売機の安定性を高めるためには、自動販売機「本体１」が前面に転倒する際には「レベリングスクリュー１５」の下端部が支点となることから、この「レベリングスクリュー１５」をできるだけ前側に配置すること、すなわち、「レベリングスクリュー１５」を支持する「底板１０」を、「前面扉３」の前面側から突出しない範囲で前側に延在すればよいことは、当業者にとって自明である。
　すると、本願発明１が、「自動販売機の安定性が向上」するように、「ケース本体の底板前面側を扉の前面側に略一致するように延在する」は、上記の周知の課題を解決すべく、刊行物１の記載および当該記載から自明な事項を刊行物１記載の発明に付加することで、当業者が容易になし得たものであるにすぎない。そして、かかる構成に基づいて格別な作用・効果を奏しない。
　
（３）相違点ｃについて
　
　自動販売機の扉を回動自在に支持するための軸を、当該扉の前面側に近接して設けることは、本願出願前周知（例えば、実願昭６３−１０１７６５号（実開平２−２３７８２号）のマイクロフィルム参照。）である。すると、本願発明１が、「扉の軸孔」を設ける位置を「扉の前面側に近接して設けた」点は、本願発明１の「軸」と「軸孔」の嵌合による扉の支持構造に対して上記周知の構成を付加することにより自ずから採用し得たものに過ぎない。
　相違点ｃに係る構成によって、本願発明１は、「支軸に嵌合する扉の軸孔を扉の前面側に近接して設けたことにより、扉を開閉する際に扉の支軸側に回転軌跡が自動販売機の側面から外側に張り出す量が小さくなるので、自動販売機を並設する際にも隣接する自動販売機を密着して配置することが可能となる」（平成１３年３月９日付け手続補正書によって補正された本願明細書段落【０００９】【発明の効果】）との効果を奏する、とされている。しかし、上記周知例として引用した実願昭６３−１０１７６５号（実開平２−２３７８２号）のマイクロフィルムの第２図、第３図において、自動販売機の扉が開状態の様子が描写されているが、扉は自動販売機の側面から外側に張り出していない。そして開閉動作中でも自動販売機の側面からほとんど張り出さないであろうことは当該周知例の記載から当業者にとって自明である。上記効果はなんら格別なものではない。
　
（４）小結　
　
　上記「４．（１）〜（３）」より、本願発明１は、刊行物１に記載された発明および本願出願前周知の事項に基づいて、当業者が容易に発明をすることができたものである。
　
５．まとめ
　
　以上の通りであるから、本願発明１は、特許法第２９条第２項の規定により特許を受けることができない。
　したがって、本願発明２につき検討するまでもなく、本願は拒絶されるべきものである。　
　よって、結論のとおり審決する。